(57)【要約】【課題】ポートフォリオを組む際に参考となりうる分散投資に関する有益な情報を提供すること。【解決手段】複数の金融投資対象の組み合わせからなるファンドの内訳情報の入力を受け付けて登録する投資情報受付手段と、各金融投資対象の価格情報を取得する価格情報取得手段と、取得した価格情報に基づいて登録されたファンドの価格を算出する価格算出手段と、この算出されたファンド価格、及び、当該ファンドの内訳情報を出力する情報提供手段と、を備えた。【選択図】図１
2008102729.tif 000002
【特許請求の範囲】
【請求項１】
複数の金融投資対象の組み合わせからなるファンドの内訳情報の入力を受け付けて登録する投資情報受付手段と、
前記各金融投資対象の価格情報を取得する価格情報取得手段と、
取得した前記価格情報に基づいて登録された前記ファンドの価格を算出する価格算出手段と、
この算出されたファンド価格、及び、当該ファンドの内訳情報を出力する情報提供手段と、
を備えたことを特徴とする情報提供システム。
【請求項２】
前記投資情報受付手段は、前記ファンドの内訳情報と共に当該ファンドを提案したユーザの特徴を表すユーザ情報の入力を受け付けて関連付けて登録し、
前記情報提供手段は、前記ファンドの内訳情報と共に、これに関連付けられている前記ユーザ情報を出力する、
ことを特徴とする請求項１記載の情報提供システム。
【請求項３】
前記ユーザ情報は、ユーザ自身の身分あるいは保有する資格を表す情報を含む、ことを特徴とする請求項２記載の情報提供システム。
【請求項４】
前記ファンドの内訳情報は、当該ファンドを組んだユーザによる前記金融投資対象の組み合わせ方針を表す情報を含む、ことを特徴とする請求項２又は３記載の情報提供システム。
【請求項５】
前記情報提供手段は、算出された前記ファンドの価格に基づく各ファンドの順位を出力する、ことを特徴とする請求項１，２，３又は４記載の情報提供システム。
【請求項６】
コンピュータにて情報を提供する方法であって、
複数の金融投資対象の組み合わせからなるファンドの内訳情報の入力を受け付けて登録する投資情報受付工程と、
前記各金融投資対象の価格情報を取得する価格情報取得工程と、
取得した前記価格情報に基づいて登録された前記ファンドの価格を算出する価格算出工程と、
この算出されたファンド価格、及び、当該ファンドの内訳情報を出力する情報提供工程と、
を有することを特徴とする情報提供方法。
【請求項７】
コンピュータに、
複数の金融投資対象の組み合わせからなるファンドの内訳情報の入力を受け付けて登録する投資情報受付手段と、
前記各金融投資対象の価格情報を取得する価格情報取得手段と、
取得した前記価格情報に基づいて登録された前記ファンドの価格を算出する価格算出手段と、
この算出されたファンド価格、及び、当該ファンドの内訳情報を出力する情報提供手段と、
を実現させるためのプログラム。
【発明の詳細な説明】
【技術分野】
【０００１】
本発明は、情報提供システムにかかり、特に、金融投資に関する情報を提供するシステムに関する。
【背景技術】
【０００２】
株券に代表される金融商品に投資する場合、損失を抑制するために複数の銘柄や金融商品に分散して投資することが行われている。また、このような分散投資は、投資信託（ファンド）の運用の際にも用いられる。
【０００３】
そして、上記投資信託や分散投資を行う際には、運用者は、運用方針を検討したり、ファンドに組み込む株式の銘柄や債権の種類、その購入数などを決定し、いわゆるポートフォリオを組む必要が生じる。しかし、ポートフォリオを組むためには極めて高い専門知識が必要となり、また、専門家であっても最適なポートフォリオを組むことは困難である。このため、従来より、下記特許文献１，２に示すように、コンピュータにて種々の演算式に基づいて最適なポートフォリオを算出する装置が検討されている。
【０００４】
【特許文献１】特開２００４−２０６６５２号公報
【特許文献２】特開２００６−２２１６７６号公報
【発明の開示】
【発明が解決しようとする課題】
【０００５】
しかしながら、コンピュータによって算出されたポートフォリオは、世の中の情勢など様々な要因を加味することができず、また、個々の人間による固有の分析等を反映することができない。従って、運用者の望むポートフォリオを組むことが困難であり、また、参考にする場合にも情報が少ない、という問題が生じる。さらには、ポートフォリオを組む際の運用方針を検討することも困難となる。
【０００６】
このため、本発明では、上記従来例の有する不都合を改善し、特に、ポートフォリオを組む際に参考となりうる分散投資に関する有益な情報を提供することをその目的とする。
【課題を解決するための手段】
【０００７】
そこで、本発明の一形態である情報提供システムは、
複数の金融投資対象の組み合わせからなるファンドの内訳情報の入力を受け付けて登録する投資情報受付手段と、
各金融投資対象の価格情報を取得する価格情報取得手段と、
取得した価格情報に基づいて登録されたファンドの価格を算出する価格算出手段と、
この算出されたファンド価格、及び、当該ファンドの内訳情報を出力する情報提供手段と、
を備えたことを特徴としている。
【０００８】
上記発明によると、まず、ユーザにて、分散投資にかかる複数の銘柄や債権などの金融投資対象の組み合わせからなるファンドの内訳情報を表すポートフォリオが、システムに登録される。そして、システムでは、所定のタイミングにて、登録されたファンドに含まれる銘柄等の価格情報が取得され、この価格情報とファンドのポートフォリオに基づいて、登録された各ファンドの価格が算出される。その後、システムから他のユーザに対して、ファンド毎の価格やポートフォリオ情報が提供される。これにより、ユーザにて登録されたファンドが模擬的に運用され、そのファンドの情報を他のユーザに提供することができ、分散投資に有益な情報提供を実現することができる。
【０００９】
また、投資情報受付手段は、ファンドの内訳情報と共に当該ファンドを提案したユーザの特徴を表すユーザ情報の入力を受け付けて関連付けて登録し、
情報提供手段は、ファンドの内訳情報と共に、これに関連付けられているユーザ情報を出力する、
ことを特徴としている。
【００１０】
また、ユーザ情報は、ユーザ自身の身分あるいは保有する資格を表す情報を含む、ことを特徴としている。さらに、ファンドの内訳情報は、当該ファンドを組んだユーザによる金融投資対象の組み合わせ方針を表す情報を含む、ことを特徴としている。
【００１１】
これにより、ファンドを組んだユーザの特徴を表す情報、例えば、思想、宗教、理念、価値観、保有資格などや、そのユーザによる組み合わせ方針情報といったさらに有益な情報を他のユーザに提供することができ、提供する情報の価値のさらなる向上を図ることができる。
【００１２】
また、情報提供手段は、算出されたファンドの価格に基づく各ファンドの順位を出力する、ことを特徴としている。これにより、組まれたファンドの評価材料を提供することができる。
【００１３】
さらに、本発明の他の形態は、コンピュータにて情報を提供する方法であって、
複数の金融投資対象の組み合わせからなるファンドの内訳情報の入力を受け付けて登録する投資情報受付工程と、
各金融投資対象の価格情報を取得する価格情報取得工程と、
取得した価格情報に基づいて登録されたファンドの価格を算出する価格算出工程と、
この算出されたファンド価格、及び、当該ファンドの内訳情報を出力する情報提供工程と、
を有することを特徴としている。
【００１４】
また、本発明の他の形態であるプログラムは、
コンピュータに、
複数の金融投資対象の組み合わせからなるファンドの内訳情報の入力を受け付けて登録する投資情報受付手段と、
各金融投資対象の価格情報を取得する価格情報取得手段と、
取得した価格情報に基づいて登録されたファンドの価格を算出する価格算出手段と、
この算出されたファンド価格、及び、当該ファンドの内訳情報を出力する情報提供手段と、
を実現させる、ことを特徴としている。
【００１５】
上述した構成の方法あるいはプログラムの発明であっても、上記情報提供システムと同様に作用するため、上述した本発明の目的を達成することができる。
【発明の効果】
【００１６】
本発明は、以上のように構成され機能するので、これによると、種々のユーザによって登録されたファンドが、システムにて模擬的に運用され、そのファンドの情報を他のユーザに提供することができるため、分散投資に有益な情報提供を実現することができる、という従来にない優れた効果を有する。
【発明を実施するための最良の形態】
【００１７】
本発明は、コンピュータに対して種々のユーザにて組まれたファンドを模擬的に運用し、そのファンド情報を他のユーザに提供することに特徴を有する。以下、実施例にてシステムの構成及び動作を説明する。
【００１８】
なお、実施例では、金融投資対象の一例を株券とし、複数種類の株券にてファンドを構成する場合を例示するが、金融投資対象はこれに限定されない。例えば、国債などの債権や外貨などの他の金融商品を組み合わせてファンドを構成してもよい。
【実施例１】
【００１９】
本発明の第１の実施例を、図１乃至図１０を参照して説明する。図１乃至図２は、情報提供システムの構成を示す図であり、図４乃至図６は、システムで処理される情報や表示画面例を示す図である。図７乃至図１０は、システムの動作を示す図である。
【００２０】
［構成］
本実施例では、本発明にかかる情報提供システムは、図１に示すファンド管理サーバ１にて構成されている。このファンド管理サーバ１は、ネットワークＮに接続されており、また、ネットワークＮ上には、管理者端末２やユーザ端末３，４，５、また、株価管理サーバ６が接続されている。以下、各構成について詳述する。
【００２１】
まず、株価管理サーバ６は、証券取引所や証券会社などが管理するサーバコンピュータである。そして、株価情報を蓄積し、外部に提供する機能を有する。例えば、ネットワークＮを介してアクセスしてきたユーザ端末３，４，５に株価情報を提供する。特に、本実施例では、ファンド管理サーバ１からアクセスされ株価情報が要求されると、当該ファンド管理サーバ１に対して最新の株価情報を送信して提供する。
【００２２】
ユーザ端末３，４，５は、投資家や会社員、学生など、一般ユーザが操作するコンピュータであり、パーソナルコンピュータや携帯電話など、ネットワークＮに接続してファンド管理サーバ１にアクセス可能な端末である。
【００２３】
本実施例では、符号３に示すユーザ端末のユーザは、自身で複数種類の株の組み合わせからなるファンドを設定し、後述するようにファンド管理サーバ１に対してファンドの内訳を表すポートフォリオ情報を入力して送信し、登録を行う。また、ポートフォリオ情報と共に、ユーザによるその組み合わせ方針を表す情報も入力して送信し、登録を行う。例えば、ユーザは、自己の興味のある分野や精通した分野（例えば、エコロジー分野（地球環境の保全関連分野）や安全技術分野（フェールセーフ技術分野））に関連する会社の株を組み合わせたファンドを登録する。このとき、例えば、特定分野に関わる企業のうち、かかる分野の製品割合が所定の割合以上、というような所定の条件を満たす企業のみを抽出して、その企業の中からポートフォリオを構築してもよい。
【００２４】
さらに、ユーザは、上記ファンドに関する情報と共に、ユーザ端末３から自己の保有する資格や職業などの身分、年齢、趣味、興味、専門分野、思想、宗教、理念、価値観、世界観などのユーザの特徴を表すユーザ情報も、ファンド管理サーバ１に対して入力して送信し、上記ポートフォリオ情報と共にユーザ情報を関連付けて登録する。なお、ユーザは、後述するようにユーザ端末３を介してファンド管理サーバ１に対して、図４に示すような画面上で必要な情報を入力することにより、既に登録したファンドのポートフォリオを変更することができ、さらには、新たなファンドを追加登録することもできる。
【００２５】
また、符号５に示すユーザ端末のユーザは、ファンド管理サーバ１にアクセスして当該ファンド管理サーバ１に対してファンド情報を要求する。そして、かかる要求に応じてファンド管理サーバ１から送信されるファンドのポートフォリオ情報やこのファンドを組んだユーザのユーザ情報を受け付けて、ディスプレイなどに表示することによってこれらの投資情報を得ることができる。なお、ファンド情報の要求の際には、ユーザはユーザ端末５を介してファンド管理サーバ１に対して、図５乃至図６に示すような画面上で操作することにより、提供を受けたいファンド情報の条件を指定することができる。例えば、ファンド価格に基づくファンドランキング（順位）や、ある分野に特化したファンドに関する情報、ファンドのポートフォリオ（内訳）、ファンドを組んだユーザのユーザ情報、ある属性のユーザが組んだファンドの情報、などを要求することができ、かかる情報を得ることができる。これにより、例えば、運用成績の良いファンドのポートフォリオや、それを組んだユーザの専門分野や思想などを知ることができる。なお、上記のようにファンド情報を得るユーザ端末５のユーザは、取得した情報の対価をファンド管理サーバ１の管理者やファンドを組んだユーザに支払うことで、本システムの運営が成り立つこととなる。
【００２６】
また、管理者端末２は、ファンド管理サーバ１の管理者が操作するコンピュータであり、ネットワークＮに接続してファンド管理サーバ１にアクセス可能な端末である。そして、ファンド管理サーバ１に対して必要な指令を送信したり、種々の情報を登録し、ファンド管理サーバ１の管理を行う。特に、本実施例では、ファンド管理サーバ１に対して、模擬的に運用する既存のファンドの登録を行う。例えば、証券会社にて運用されているファンドを入力して登録する。
【００２７】
また、ファンド管理サーバ１は、上述した管理者、つまり、本システムの運用業者が管理するサーバコンピュータであり、ネットワークＮを介して、上記管理者端末２、ユーザ端末３，４，５、株価管理サーバ６に接続されている。ここで、ファンド管理サーバ１のさらに詳細な構成を図２に示すが、ＣＰＵといった演算装置（図示せず）には所定のプログラムが組み込まれることによって、ファンド登録処理部１１と、株価監視処理部１２と、ファンド集計処理部１３と、情報提供処理部１４と、が構築されている。また、ハードディスクなどの記憶装置（図示せず）には、ファンド情報記憶部１５が形成されている。以下、各処理部１１〜１４及び記憶部１５について詳述する。
【００２８】
ファンド登録処理部１１（投資情報受付手段）は、上記ユーザ端末３からアクセスを受け、そのユーザにて組み合わせられたファンドつまりその内訳を表すポートフォリオ情報の送信を受け付ける。このとき、ポートフォリオ情報には、ユーザによって記載された組み合わせ方針を示す情報が含まれており、かかる情報も受け付ける。さらにこのときほぼ同時に送信されたユーザの職業や趣味、興味、専門分野、思想などを表すユーザ情報も受け付ける。そして、これら受け付けたファンドのポートフォリオ情報と、ユーザ情報とを関連付けて、ファンド情報記憶部１５に登録する。ここで、ファンド情報記憶部１５に登録した情報の一例を図３に示す。この図に示すように、仮にユーザ端末３のユーザをユーザＡとすると、このユーザＡが登録した各ファンド（ファンドＡａ，ファンドＡｂ）の内訳、つまり、どの銘柄を何株購入する、ということを表すポートフォリオ情報と、保有資格、職業、年齢、趣味、興味などのユーザ情報と、がユーザＡの情報として関連付けられて記憶される。
【００２９】
なお、ファンド登録処理部１１は、ユーザ端末３によるファンド登録時に、特定分野の業種において事前に選別された企業をポートフォリオに組み込み可能なよう、アクセスしているユーザ端末３に提示してもよい。例えば、エコロジー分野や安全分野に関わる企業うち、かかる分野の製品割合が所定の割合以上、というような所定の条件を満たす企業のみを抽出して選択可能なよう提示する。これにより、ユーザは、自己の理念などに基づいて希望する特定分野を選択し、かかる分野の企業を選択して組み合わせてファンドを組み、そのポートフォリオ情報を登録することができる。
【００３０】
また、ファンド登録処理部１１は、既にファンド情報等が登録されているユーザ端末３からのアクセスに対して、当該ユーザ端末３に対して、ファンドのポートフォリオの変更や新たなファンドの追加を許可する画面を送信する。その画面の一例を図４に示す。この図に示すように、既にユーザＡにて登録されているファンドを構成する銘柄の買い増し、売り、の情報の入力欄や、ファンドＡａに新たに銘柄を追加する入力欄が設けられており、ユーザ端末３にて各入力欄に入力された情報がファンド管理サーバ１に送信される。すると、ファンド管理サーバ１のファンド登録処理部１１は、入力された変更情報に従って、株数の変更や銘柄の追加を行ってポートフォリオを変更し、ファンド情報記憶部１５に記憶する。
【００３１】
また、ファンド登録処理部１１は、上記同様に、別のユーザ端末から登録されたファンドの情報やユーザ情報も受け付けてファンド情報記憶部１５に登録する。さらに、ファンド登録処理部１１は、管理者端末２から送信された既存のファンドの情報なども受け付けて、ファンド情報記憶部１５に登録する。以上のように、ファンド情報記憶部１５には、様々な属性のユーザにて組まれたファンドや、証券会社などで組まれた既存のファンドの情報が蓄積されている。
【００３２】
株価監視処理部１２（価格情報取得手段）は、所定のタイミングにて（例えば、１０分ごとに）、株価管理サーバ６にアクセスして株価情報を要求し、これに応じて株価管理サーバ６から送信される株価情報（価格情報）を取得する。このとき、ファンド情報記憶部１５に登録されているファンド情報を読み取って、各ファンド情報に含まれる銘柄のみの株価情報を取得してもよい。そして、各ファンド情報と、取得した株価情報をファンド集計処理部１３に渡す。
【００３３】
ファンド集計処理部１３（価格算出処理部）は、取得した株価情報と、各ファンドを構成するポートフォリオ情報に基づいて、各ファンドの総額を算出する。つまり、ファンドを構成する銘柄毎の株数とその銘柄の株価を掛け合わせ、全ての銘柄の株数に応じた価格を合計することで、ファンド価格を算出する。そして、算出されたファンド価格は、ファンド情報記憶部１５に記憶される。
【００３４】
そして、上記株価監視処理部１２とファンド集計処理部１３とによる処理は、常時、所定のタイミングにて実行される。従って、ファンド情報記憶部１５には、現在の株価に応じた各ファンドの価格が登録されることとなり、模擬的に各ファンドが運用された状態になる。
【００３５】
そして、情報提供処理部１４（情報提供手段）は、上記符号３のユーザ端末とは異なる他のユーザ端末５からのアクセスに応じて、ファンド情報記憶部１５に記憶されているファンド情報やファンドを組み合わせたユーザのユーザ情報を、ユーザ端末５に送信して提供する機能を有する。例えば、まずユーザ端末５に対して、図５に示す情報要求画面を送信して表示し、ユーザの要求する情報の種類や条件を入力させ、これを受け付ける。そして、「ファンドランキング」が選択された場合には、ファンド情報記憶部１５に登録されている全てのファンドを、ファンド集計処理部１３にて算出されたファンド価格の大きい順に並べ替えて図６に示すように、順位順にユーザ端末５に送信する。なお、「種類別ファンドランキング」が選択され、その後に種類が特定されると、その特定の種類に属する各ファンドを、ファンド価格順に並び替えてユーザ端末５に送信する。例えば、種類として「エコロジー」が選択されると、エコロジー分野の企業を集めた各ファンド、つまり、ユーザにて組まれたファンドや証券会社で組まれた実在するファンドなどのうちのランキングが送信される。そして、図６に示すように、ファンドランキングに表示された特定のファンドを選択することで（左のチェックボックスをチェックする）、図３に示すようなファンド毎の詳細情報、つまり、ファンドの内訳であるポートフォリオ情報や、組み合わせ方針情報、さらには、そのユーザのユーザ情報が、ユーザ端末５に送信され提供される。なお、情報提供処理部１４は、例えば、図５に示す画面で「運用者検索」が選択され、運用者の職業などを特定するキーワードが入力されると、かかるキーワードに合致するユーザのユーザ情報、及び、そのユーザが組み合わせたファンドのポートフォリオ情報など抽出されて、ユーザ端末５に送信される。
【００３６】
［動作］
次に、上記構成のファンド管理サーバ１の動作を、図７乃至図８のフローチャート、及び、図９乃至図１０の動作説明図を参照して説明する。
【００３７】
まず、ファンド管理サーバ１は、管理者端末２から既存のファンドの情報を受け付けると、模擬的に運用するファンドとしてファンド情報記憶部１５に登録する（ステップＳ１、図９の（１）参照）。また、ファンド管理サーバ１は、ユーザＡのユーザ端末３から、当該ユーザＡが組み合わせたポートフォリオ情報や、組み合わせ方針情報、さらには、ユーザＡのユーザ情報を受け付けて、ユーザＡの情報として関連付けてファンド情報記憶部１５に登録する（ステップＳ２、図９の（２）参照、投資情報受付工程）。なお、もちろん、ファンド管理サーバ１は、別のユーザ端末から送信されたファンドのポートフォリオ情報やユーザ情報なども登録する。これにより、ファンド管理サーバ１には、様々な属性のユーザにて組まれたファンドや、証券会社などで組まれた既存のファンドの情報が蓄積される。
【００３８】
その後、ファンド管理サーバ１は、所定のタイミングにて（例えば、１０分ごとに）、株価管理サーバ６にアクセスして株価情報を要求し、これに応じて株価管理サーバ６から送信される株価情報を取得する（ステップＳ３、図１０の（３）参照、価格情報取得工程）。そして、取得した株価情報と、ファンド情報記憶部１５に登録されている各ファンドを構成するポートフォリオ情報と、に基づいて、各ファンドの総額を算出して、算出したファンド価格をファンド情報記憶部１５に登録する（ステップＳ４、価格算出工程）。そして、上記ステップ３の株価情報の取得と、ステップ４の各ファンド価格の算出は、常時、所定のタイミングにて実行され、登録されている各ファンドが模擬的に運用される。
【００３９】
そして、上述したように各ファンドが運用されている最中に管理者端末２やユーザ端末３からファンドのポートフォリオの変更や追加の要求があった場合には（ステップＳ５：イエス）、ファンド管理サーバ１は、変更や追加にかかる情報を受け付けて、ファンド情報記憶部１５内の情報を更新する（ステップＳ６）。
【００４０】
続いて、上述したように模擬的に運用されているファンドに関する情報を、他のユーザが操作するユーザ端末５に提供するときの動作を、図８を参照して説明する。まず、ファンド管理サーバ１は、上述したように各ファンドの運用中にユーザ端末５からファンド情報の要求のためのアクセスがあると（ステップＳ１１：イエス、図１０の（４）参照）、図５に示すような情報要求画面をユーザ端末５に送信する。そして、この情報要求画面に入力される要求する情報の条件を受け付けて（ステップＳ１２）、かかる条件に合致する情報をファンド情報記憶部１５から抽出する（ステップＳ１３）。例えば、ファンド情報記憶部１５に登録されている全てのファンドの価格ランキングや、ファンドの種類毎の価格ランキングを抽出する。さらには、特定のファンドが選択されると、そのファンドのポートフォリオ情報や組み合わせ方針情報、この組み合わせを考えたユーザの思想や専門分野などのユーザ情報、などが抽出される。そして、ファンド管理サーバ１は、抽出された各情報をユーザ端末５に対して送信する（ステップＳ１４、図１０の（４）参照、情報提供工程）。
【００４１】
以上のように、本実施例では、ファンド管理サーバ１にて、あらゆる属性のユーザにて組み合わせが設定されたファンドが実際の株価に基づいて模擬的に運用されており、そのファンドのポートフォリオやその組み合わせを設定したユーザの情報を提供している。従って、その情報を取得した他のユーザは、分散投資に非常に有益な情報を得ることができる。このとき、ユーザの思想や趣味、経歴などのユーザ情報も提供されるため、例えば、ユーザが株に詳しい経歴の持ち主であったり、ファンドの種類の分野に精通した人物である場合には、模擬的な運用ではあるもののポートフォリオ情報の信頼性も増し、より価値の高い情報を提供することができる。
【産業上の利用可能性】
【００４２】
本発明である上記ファンド管理サーバは、株や債権、外貨などの金融商品を取り扱う証券会社などの所定の業者に運営されることで、有益な投資情報を提供することができ、かかる情報の売買によって収益を得ることができ、産業上の利用可能性を有する。
【図面の簡単な説明】
【００４３】
【図１】システム全体の構成を示すブロック図である。
【図２】ファンド管理サーバの構成を示す機能ブロック図である。
【図３】ファンド情報記憶部に記憶される情報の一例を示す図である。
【図４】ファンド管理サーバからユーザ端末に対して表示される画面の一例を示す図であり、ファンドのポートフォリオの更新時の様子を示す。
【図５】ファンド管理サーバからユーザ端末に対して表示される画面の一例を示す図であり、情報要求時の様子を示す。
【図６】ファンド管理サーバからユーザ端末に対して表示される画面の一例を示す図であり、情報提供時の様子を示す。
【図７】ファンド管理サーバの動作を示すフローチャートであり、ファンドの模擬運用時の様子を示す。
【図８】ファンド管理サーバの動作を示すフローチャートであり、情報提供時の様子を示す。
【図９】ファンド管理サーバの動作を示す説明図である。
【図１０】ファンド管理サーバの動作を示す説明図である。
【符号の説明】
【００４４】
１  ファンド管理サーバ
２  管理者端末
３，４，５  ユーザ端末
６  株価管理サーバ
１１  ファンド登録処理部
１２  株価監視処理部
１３  ファンド集計処理部
１４  情報提供処理部
１５  ファンド情報記憶部
【図１】
2008102729.tif 000003
【図２】
2008102729.tif 000004
【図３】
2008102729.tif 000005
【図４】
2008102729.tif 000006
【図５】
2008102729.tif 000007
【図６】
2008102729.tif 000008
【図７】
2008102729.tif 000009
【図８】
2008102729.tif 000010
【図９】
2008102729.tif 000011
【図１０】
2008102729.tif 000012